(57)【要約】【課題】書店の店頭や購入者の部屋等で平置きされても書棚に収納されても収納物が目を引き、かつ、収納物の立体感を表しやすい書籍体を提供する。【解決手段】収納部３７は、おもて面３１と裏面３２のうちの少なくとも一方の面に開口し、おもて面３１と裏面３２の間にも開口したものであり、表紙部材５１，５２は、おもて面３１と裏面３２のうちの少なくとも一方の面を覆った状態で収納部３７につながる一方側窓部５１１，５２１が設けられたものであり、背表紙部５３は、おもて面３１と裏面３２の間を覆った状態で収納部３７につながる背側窓部５３１が設けられたものであり、収納物７は、収納部３７に収納された状態で一方側窓部５１１，５２１越しにも背側窓部５３１越しにも視認可能なものである。【選択図】図１
2013216002.tif 000002
【特許請求の範囲】
【請求項１】
収納物と、
前記収納物が収納される収納部を有する本体と、
前記本体のおもて面および裏面のうちの少なくとも一方の面を覆う表紙部材と、
前記おもて面と前記裏面の間を覆う背表紙部とを備え、
前記収納部は、少なくとも前記一方の面に開口し、前記おもて面と前記裏面の間にも開口したものであり、
前記表紙部材は、前記一方の面を覆った状態で前記収納部につながる一方側窓部が設けられたものであり、
前記背表紙部は、前記おもて面と前記裏面の間を覆った状態で前記収納部につながる背側窓部が設けられたものであり、
前記収納物は、前記収納部に収納された状態で前記一方側窓部越しにも前記背側窓部越しにも視認可能なものであることを特徴とする書籍体。
【請求項２】
前記収納部は、前記本体のおもて面および該本体の裏面それぞれに開口したものであり、
前記表紙部材は、前記おもて面を覆うおもて表紙と、前記裏面を覆う裏表紙とを有し、
前記おもて表紙は、前記おもて面を覆った状態で前記収納部につながるおもて側窓部が設けられたものであって、
前記裏表紙は、前記裏面を覆った状態で前記収納部につながる裏側窓部が設けられたものであり、
前記収納物は、前記収納部に収納された状態で前記おもて側窓部越しにも前記背側窓部越しにも前記裏側窓部越しにも視認可能なものであることを特徴とする請求項１記載の書籍体。
【請求項３】
前記収納物は、前記収納部に収納された状態で前記おもて表紙側、前記背表紙部側、および前記裏表紙側を透明部材で囲うケースと、該ケース内に収められた対象物を有し、前記収納部に着脱可能なものであることを特徴とする請求項２記載の書籍体。
【請求項４】
前記おもて表紙は、前記本体に対して開閉自在であって閉じた状態で前記おもて面を覆うものであり、
前記背側窓部は、前記収納部に収納された前記収納物における前記背表紙部側の大きさよりも小さく、
前記裏側窓部は、前記収納部に収納された前記収納物における前記裏表紙側の大きさよりも小さく、
前記おもて面に開口したおもて側開口は、前記収納部に収納された前記収納物における該おもて面側の大きさよりも大きく、
さらにこの書籍体が、前記おもて表紙と前記おもて面との間に規制部材を備え、
前記規制部材は、前記収納部に収納された前記収納物における前記おもて面側の大きさよりも小さな開口になる規制開口が設けられ、該規制開口が前記おもて側開口に被さる規制姿勢と、該規制開口が前記おもて側開口から退避した許容姿勢との間で姿勢を変化させることが可能なものであり、
前記収納物は、前記おもて表紙を開き前記規制部材の姿勢を前記許容姿勢に変化させることで、前記収納部に着脱可能なものであることを特徴とする請求項２又は３記載の書籍体。
【請求項５】
前記ケースは、前記対象物の像を写す反射部材を有する反射壁と、該対象物を該反射壁から離して支持する支持部材とを備えたものであることを特徴とする請求項３記載の書籍体。
【請求項６】
前記収納部の空間を画定する壁に、前記対象物の像を写す反射部材が設けられたものであることを特徴とする請求項３記載の書籍体。
【発明の詳細な説明】
【技術分野】
【０００１】
本発明は、書籍や書籍を模したものを含む書籍体に関する。
【背景技術】
【０００２】
従来、玩具等を付録として付属させた書籍が販売されている。また、最近では、玩具等が単なる付録にとどまらず、記載された文章や挿絵、写真等よりも玩具等が主役になった書籍を模したものもある。これらの書籍体の場合、買手は、玩具等にひかれて購入する場合が多い。このため、収納した玩具等が書籍体の外側から見えるようにして、買手の購入意欲を掻きたてようとする書籍体も知られている（例えば、特許文献１および特許文献２）。
【０００３】
特許文献１に記載された書籍体は、書籍のページ部分に相当する本体の中央部を打ち抜き加工して収納部を形成し、この収納部に玩具等の収納物を収納している。その上で、おもて表紙に所定形状の窓部を形成し、この窓部から収納部に収納した収納物が見えるようにして、買手の目を引こうとするものである。特許文献２に記載された書籍体は、書籍のページ部分に相当する本体に収納部を複数形成し、この複数の収納部に菓子等の収納物をそれぞれ収納している。その上で、１つの収納物に対して１つの窓部をおもて表紙あるいは背表紙部に形成し、それぞれの窓部からそれぞれの収納物が見えるようにしている。
【先行技術文献】
【特許文献】
【０００４】
【特許文献１】特開２００３−２０８１０２号公報
【特許文献２】実開平４−２７７３７号公報
【発明の概要】
【発明が解決しようとする課題】
【０００５】
しかしながら、特許文献１に記載された書籍体では、例えば書店の店頭で平積みされている場合には、一番上に置かれた書籍体の収納物は見えるものの、この一番上の書籍体よりも下側に積まれた書籍体の収納物は見えない。このため、シリーズ物のように収納物の種類が違う場合に、それぞれの収納物を購入者の目に触れさせるためには、種類毎に平置きしなければならず、書店の店頭等に多くのスペースが必要になってしまうという不都合がある。また、書籍体が書店の書棚に収納されてしまうと購入者が収納物に気づかず、書籍の外側から収納物が見えるという折角の趣向の効果がなくなってしまう。また、特許文献２に記載された書籍体では、おもて表紙の窓部や背表紙部の窓部から、それぞれの収納物は見えるものの１つの窓部からは１つの収納物しか見えず、平置きの場合でも書棚に収納された場合でも、見ることができる収納物が限られてしまうという不都合がある。
【０００６】
さらに、上記不都合は書店に限らず、その書籍体を購入した者の部屋でも同じように問題になる。購入者の部屋は、書籍体を設置するスペースが限られてしまうのが一般的であり、複数の書籍体をそれぞれ平置きの状態で飾ることができない場合が多い。また、購入後に書籍体を本棚に収納してしまうと、特許文献１に記載された書籍体では、収納物が全く見えない。特許文献２に記載された書籍体でも、背表紙部の窓部が対応した収納物しか見えず、おもて表紙の窓部が対応した収納物は全く見えない。このため、特許文献１および特許文献２に記載された書籍体では、特に収納物が異なるシリーズ物のような場合には、購入者が、これらの異なる収納物をいつでも見えるように自分の部屋に飾ることは難しいという問題がある。
【０００７】
さらに、特許文献１および特許文献２に記載された書籍体では、立体の収納物を一方向からしか見ることができないため、購入者に収納物の立体感を伝えにくいという問題点もある。
【０００８】
本発明は上記事情に鑑み、書店の店頭や購入者の部屋等で平置きされても書棚に収納されても収納物が目を引き、かつ、収納物の立体感を伝えやすい書籍体を提供することを目的とする。
【課題を解決するための手段】
【０００９】
上記目的を解決する本発明の書籍体は、書籍を模した書籍体であって、
収納物と、
ページ部分に相当し、前記収納物が収納される収納部を有する本体と、
前記本体のおもて面および裏面のうちの少なくとも一方の面を覆う表紙部材と、
前記おもて面と前記裏面の間を覆う背表紙部とを備え、
前記収納部は、少なくとも前記一方の面に開口し、前記おもて面と前記裏面の間にも開口したものであり、
前記表紙部材は、前記一方の面を覆った状態で前記収納部につながる一方側窓部が設けられたものであり、
前記背表紙部は、前記おもて面と前記裏面の間を覆った状態で前記収納部につながる背側窓部が設けられたものであり、
前記収納物は、前記収納部に収納された状態で前記一方側窓部越しにも前記背側窓部越しにも視認可能なものであることを特徴とする。
【００１０】
前記本体は、立方体、あるいは直方体であってもよく、さらには円柱形状で周面が前記おもて面と前記裏面の間になるものであってもよい。また、前記一方側窓部も前記背側窓部も切り欠きであってもよい。また、収納物は、種類や形、大きさ等に何ら制限されるものではない。
【００１１】
本発明の書籍体によれば、収納物は、収納部に収納された状態で一方側窓部越しにも背側窓部越しにも視認可能なものであるため、書店の店頭や購入者の部屋等で平置きされても書棚に収納されても、収納物を買手や購入者に見せることができる。また、一方側窓部越しにも背側窓部越しにも収納物が視認できるため、買手や購入者に収納物の立体感を伝えやすい。
【００１２】
また、本発明の書籍体において、前記収納部は、前記本体のおもて面および該本体の裏面それぞれに開口したものであり、
前記表紙部材は、前記おもて面を覆うおもて表紙と、前記裏面を覆う裏表紙とを有し、
前記おもて表紙は、前記おもて面を覆った状態で前記収納部につながるおもて側窓部が設けられたものであって、
前記裏表紙は、前記裏面を覆った状態で前記収納部につながる裏側窓部が設けられたものであり、
前記収納物は、前記収納部に収納された状態で前記おもて側窓部越しにも前記背側窓部越しにも前記裏側窓部越しにも視認可能なものであることが好ましい。
【００１３】
前記おもて表紙は、前記おもて面よりも大きなものであってもよく、前記裏表紙は、前記裏面よりも大きなものであってもよい。また、前記収納部は、前記おもて面と前記間との境になる縁の一部、および前記裏面と前記間との境になる縁の一部を切り欠いて形成されたものであって、前記おもて側窓部、前記背側窓部、および前記裏側窓部がつながったものであってもよい。さらに、前記おもて表紙、前記背表紙部、および前記裏表紙は一体のものであってもよい。
【００１４】
収納物は、収納部に収納された状態でおもて側窓部越しにも背側窓部越しにも裏側窓部越しにも視認可能なものであるため、買手や購入者に収納物の立体感をより伝えやすい。また、特に、収納物の形状や模様等が、おもて表紙側、背表紙部側、および裏表紙側で違う場合には、買手や購入者にその違いを見せることができる。
【００１５】
さらに、本発明の書籍体において、前記収納物は、前記収納部に収納された状態で前記おもて表紙側、前記背表紙部側、および前記裏表紙側を透明部材で囲うケースと、該ケース内に収められた対象物を有し、前記収納部に着脱可能なものであってもよい。
【００１６】
上記構成により、対象物が、おもて表紙側、背表紙部側、および裏表紙側から視認でき、また、対象物が収められたケースを収納部から取り外して部屋等に飾ることもできる。
【００１７】
また、本発明の書籍体において、前記おもて表紙は、前記本体に対して開閉自在であって閉じた状態で前記おもて面を覆うものであり、
前記背側窓部は、前記収納部に収納された前記収納物における前記背表紙部側の大きさよりも小さく、
前記裏側窓部は、前記収納部に収納された前記収納物における前記裏表紙側の大きさよりも小さく、
前記おもて面に開口したおもて側開口は、前記収納部に収納された前記収納物における該おもて面側の大きさよりも大きく、
さらにこの書籍体が、前記おもて表紙と前記おもて面との間に規制部材を備え、
前記規制部材は、前記収納部に収納された前記収納物における前記おもて面側の大きさよりも小さな開口になる規制開口が設けられ、該規制開口が前記おもて側開口に被さる規制姿勢と、該規制開口が前記おもて側開口から退避した許容姿勢との間で姿勢を変化させることが可能なものであり、
前記収納物は、前記おもて表紙を開き前記規制部材の姿勢を前記許容姿勢に変化させることで、前記収納部に着脱可能なものであることが好ましい。
【００１８】
前記規制部材は、冊子であってもよい。また、ここにいう大きいとは、前記収納部に収納された収納物を前記おもて側開口から取り出すことが可能なことを意味し、小さいとは、該収納部に収納された収納物を前記背側窓部あるいは前記裏側窓部から取り出すことが不能なことを意味する。
【００１９】
背側窓部は、収納部に収納された収納物における背表紙部側の大きさよりも小さく、裏側窓部は、収納部に収納された収納物における裏表紙側の大きさよりも小さいため、収納部に収納された収納物を背側窓部や裏側窓部から取り出すことができない。さらに、おもて表紙とおもて面との間に規制部材を備え、おもて表紙を開き規制部材の姿勢を許容姿勢に変化させることで、収納物を収納部に着脱可能としたため、おもて表紙を開かない限り収納物を収納部から取り出すことができない。このため、例えば、書店の店頭等で収納物のみを無断で持っていかれてしまうことを防ぐことができる。
【００２０】
また、前記おもて表紙は、前記本体に対して開閉自在であって閉じた状態で前記おもて面を覆うものであり、
前記背側窓部は、前記収納部に収納された前記ケースにおける前記背表紙部側の透明部材よりも小さく、
前記裏側窓部は、前記収納部に収納された前記ケースにおける前記裏表紙側の透明部材よりも小さく、
前記おもて面に開口したおもて側開口は、前記収納部に収納された前記ケースにおける該おもて面側の透明部材よりも大きく、
さらにこの書籍体が、前記おもて表紙と前記おもて面との間に収納された規制部材を備え、
前記規制部材は、前記収納部に収納された前記ケースにおける前記おもて面側の透明部材よりも小さな開口の規制開口が設けられ、該規制開口が前記おもて側開口に被さる規制姿勢と、該規制開口が前記おもて側開口から退避した許容姿勢との間で姿勢を変化させることが可能なものであり、
前記収納物は、前記おもて表紙を開き前記規制部材の姿勢を前記許容姿勢に変化させることで、前記収納部に着脱可能なものであってもよい。
【００２１】
さらに、本発明の書籍体において、前記ケースは、前記対象物の像を写す反射部材を有する反射壁と、該対象物を該反射壁から離して支持する支持部材とを備えたものであってもよい。前記支持部材は棒状のものであってもよい。
【００２２】
支持部材によって対象物を反射壁から離して支持するとともに、反射壁に対象物の像を写すことで、対象物が宙に浮いているように見せることができる。
【００２３】
また、本発明の書籍体において、前記収納部の空間を画定する壁に、前記対象物の像を写す反射部材が設けられたものであってもよい。
【００２４】
収納部の空間を画定する壁に設けられた反射部材に対象物の像を写すことで、対象物の見えにくいところも買手や購入者に示すことができる。
【発明の効果】
【００２５】
本発明の書籍体によれば、書店の店頭や購入者の部屋等で平置きされても書棚に収納されても、収納物を買手や購入者に見せることができ、買手や購入者に収納物の立体感を伝え易い。
【図面の簡単な説明】
【００２６】
【図１】本発明の第１の実施形態である書籍体の斜視図である。
【図２】図１に示す書籍体の分解斜視図である。
【図３】（ａ）は、図１に示す書籍体のおもて表紙を開いた状態を示す斜視図であり、（ｂ）は、（ａ）の冊子体のページをめくった状態を示す斜視図である。
【図４】（ａ）は、収納物の分解斜視図であり、（ｂ）は、図３（ａ）に示す書籍体における、収納物が収納部に収納された部分を拡大して示す平面図である。
【図５】図１に示す書籍体の冊子体が許容姿勢の状態を示す斜視図である。
【図６】（ａ）は、図１に示す書籍体へのカバー部材の取り付け方を説明するための斜視図であり、（ｂ）は、カバー部材を取り付けた書籍体を天側から見た図である。
【図７】図１に示す書籍体の裏側に裏板を取り付ける状態を示す斜視図である。
【図８】本発明の第２の実施形態である書籍体の分解斜視図である。
【図９】本発明の第３の実施形態である書籍体の分解斜視図である。
【図１０】本発明の第４の実施形態である書籍体の分解斜視図である。
【発明を実施するための形態】
【００２７】
以下、図面を参照して本発明の実施の形態を説明する。
【００２８】
図１は、本発明の第１の実施形態である書籍体の斜視図である。図２は、図１に示す書籍体の分解斜視図である。以下、図１に示す書籍体の、左斜め前側を背側と称し、右斜め後側を小口側と称し、右斜め前側をおもて側と称し、左斜め後側を裏側と称し、上側を天側と称し、下側を地側と称することがある。また、図１に示す書籍体の、天側と地側を結ぶ方向を上下方向と称することがある。
【００２９】
書籍体１は、文字や挿絵、写真等が記載されたページ部分を本体として有する書籍であってもよいし、ページ部分に相当するものを本体として有する書籍を模したものであってもよい。また、本体の一部がページ部分になったものであってもよい。さらに、書籍体１は、書籍型インテリアを含むものである。
【００３０】
図１および図２に示すように、書籍体１は、本体３と、表紙体５と、収納物７と、規制部材としての冊子体９を備えている。
【００３１】
図２に示すように、本体３は、書籍のページ部分に相当し、おもて側になるおもて面３１と、裏側になる裏面３２と、おもて面３１と裏面３２の間になる４つの面を備えた直方体に形成されている。４つの面は、背側になる背側面３３と、小口側になる小口側面３４と、天側になる天側面３５と、地側になる地側面３６を有している。なお、小口側面３４、天側面３５、および地側面３６には、書籍のページ部分を模した模様が付されている。
【００３２】
本体３は、背側部分に収納物７が収納される収納部３７を有している。収納部３７のおもて面３１側にはおもて面３１に開口したおもて側開口３１１が形成され、収納部３７の裏面３２側には裏面３２に開口した裏側開口３２１が形成され、収納部３７の背側面３３には背側面３３に開口した背側開口３３１が形成されている。これらのおもて側開口３１１、裏側開口３２１、および背側開口３３１は、それぞれ矩形状に開口している。また、おもて面３１と背側面３３の境になる縁の一部、および裏面３２と背側面３３の境になる縁の一部が切り欠かれ、おもて側開口３１１、背側開口３３１および裏側開口３２１がつながって形成されている。収納部３７は、天側面３５と平行な矩形状の面で形成された上壁３７３、および地側面３６と平行な矩形状の面で形成された下壁３７１を有している。また、収納部３７は、下壁３７１および上壁３７３をつなぎ、小口側面３４と平行な矩形状の面で形成された縦壁３７２を有している。これらの下壁３７１、縦壁３７２、および上壁３７３によって、収納部３７の直方体状の空間が画定される。下壁３７１、縦壁３７２、および上壁３７３には、それぞれ反射部材としてのアルミ箔が貼られ、対向した物の像を写すことができるようにされている。なお、下壁３７１、縦壁３７２、および上壁３７３に貼られたアルミ箔は、必要に応じて適宜省略してもよい。
【００３３】
収納物７は、ケース７１と、ケース７１内に収められた対象物７２を有している。図１に示すように、収納物７は、本体３の収納部３７に収納されている。図１に示す書籍体では、鉱物を対象物７２としている。なお、対象物７２は、鉱物に限らず、書籍体１に収納できるものであれば限定されないが、観賞や展示、インテリア等の対象となり得るものが好ましい。例えば、ミニカー等の模型、人形、動物や植物等を模した置物、化石等をあげることができる。また、対象物７２をケース７１内に収める構成とせず、対象物自体を収納物７として収納部３７に直接収納してもよい。
【００３４】
表紙体５は、本体３のおもて面３１を覆うおもて表紙５１と、本体３の裏面３２を覆う裏表紙５２と、本体３の背側面３３を覆う背表紙部５３を有している。おもて表紙５１と裏表紙５２が表紙部材に相当する。おもて表紙５１、裏表紙５２、および背表紙部５３は、おもて面３１、裏面３２、および背側面３３よりもそれぞれやや大きく形成されている。裏表紙５２は、図２でＡで示す背側のほぼ半分が裏面３２に接着され、残りの小口側部分は裏面３２に接着されない。背表紙部５３は、背側面３３の全体に接着されている。なお、接着の仕方は、ここで説明した仕方に限定されない。おもて表紙５１は、背表紙部５３側を軸に、おもて面３１に対して開閉自在になっている。
【００３５】
図１に示すように、おもて表紙５１は、おもて面３１を覆った状態で、収納部３７につながるおもて側窓部５１１が設けられている。背表紙部５３は、背側面３３を覆った状態で、収納部３７につながる背側窓部５３１が設けられている。裏表紙５２は、裏面３２を覆った状態で、収納部３７につながる裏側窓部５２１が設けられている。おもて側窓部５１１、背側窓部５３１、および裏側窓部５２１は、同一の上下方向の寸法で、おもて表紙５１、背表紙部５３、および裏表紙５２につながって開口している。収納物７は、おもて側窓部５１１越しにも、背側窓部５３１越しにも、裏側窓部５２１越しにも視認できるようにされている。なお、表紙体５には、所定の文字や挿絵、写真等のデザインが付されている。
【００３６】
図３も参照しながら、冊子体９を説明する。図３（ａ）は、図１に示す書籍体のおもて表紙を開いた状態を示す斜視図であり、図３（ｂ）は、図３（ａ）の冊子体のページをめくった状態を示す斜視図である。
【００３７】
図１に示すように、冊子体９は、背側が綴じられた２０頁程の冊子であり、おもて表紙５１がおもて面３１を覆った状態で、おもて表紙５１とおもて面３１の間に配置されている。
【００３８】
図２に示すように、冊子体９は、本体３のおもて面３１に取り付けられる。冊子体９は図２、図３（ａ）および図３（ｂ）においてＡで示す、小口側のほぼ半分が本体３のおもて面３１に接着により取り付けられ、背側のほぼ半分は、おもて面３１に接着されない状態でおもて面３１を覆っている。このため、後述するように、冊子体９は、おもて面３１に接着されていない背側部分をおもて側に曲げることができる。また、図３（ａ）に示すように、冊子体９は、おもて面３１に取り付けられた状態で、収納物７に対応する箇所に矩形状の規制開口９１が形成され、この規制開口９１越しに収納物７が視認できるようにされている。さらに、冊子体９は、本体３に取り付けられた状態でページをめくることができ、図３（ｂ）に示すように、ページをめくった状態でも、規制開口９１から対象物７２が視認できる。このため、例えば、冊子体９のページ部分に対象物７２に関連する情報等を記載すれば、対象物７２と合せて情報等を見ることができる。また、図１に示すように、規制開口９１は、おもて面３１がおもて表紙５１で覆われた状態で、おもて側窓部５１１とほぼ同じ大きさでほぼ同じ位置に形成されている。このため、おもて表紙５１を閉じた状態で、おもて側窓部５１１越しに対象物７２が視認し難くなることもない。なお、冊子体９を本体３のおもて面３１から取り外すことができるようにしてもよい。
【００３９】
図４を用いて、収納物７と、収納物７が収納部３７に収納されている状態を説明する。図４（ａ）は、収納物の分解斜視図であり、図４（ｂ）は、図３（ａ）に示す書籍体における、収納物が収納部に収納された部分を拡大して示す平面図である。
【００４０】
図４（ａ）に示すように、収納物７のケース７１は、台座７１１と囲い部７１２を有し、囲い部７１２は、取外し自在に台座７１１に取り付けられる。ケース７１は、おもて側、裏側、背側、および小口側の形状がほぼ同じ直方体に形成されている。
【００４１】
台座７１１は、直方体状の基部７１１１と、基部７１１１よりもやや小さい直方体状の上部７１１２と、反射部材７１１３を有している。上部７１１２は、基部７１１１の上面に配置され、基部７１１１の上面における外周部分に載置部７１１１ａが形成されている。反射部材７１１３は、上部７１１２の上面に配置されている。反射部材７１１３は、対象物７２の像を写すことができる鏡で構成されている。また、反射部材７１１３の上面には、対象物７２を支持する棒状の支持部材７１１４が立設されている。対象物７２は、支持部材７１１４によって反射部材７１１３から上方に離して支持されている。支持部材７１１４によって支持された対象物７２は、その下側の像が反射部材７１１３に写るので、対象物７２の下側が視認し易い。また、反射部材７１１３から上方に離して支持している点が強調され、対象物７２があたかも宙に浮いているような印象を与えることができる。なお、支持部材７１１４は、透明であることが好ましい。囲い部７１２は、透明な部材で形成され、おもて表紙５１側のおもて表紙側壁７１２１、背表紙部５３側の背表紙部側壁７１２３、裏表紙５２側の裏表紙側壁７１２２、小口側の小口側壁７１２４、および天側の天井部７１２５を有し、地側が開放されている。囲い部７１２の地側の端部が、基部７１１１の載置部７１１１ａに載置されて、囲い部７１２が台座７１１に取り付けられる。おもて表紙側壁７１２１、背表紙部側壁７１２３、および裏表紙側壁７１２２が透明部材で形成されているため、収納物７を収納部３７に収納した状態で、おもて側窓部５１１越しにも、背側窓部５３１越しにも、裏側窓部５２１越しにも、対象物７２が視認できるようにされている。また、収納物７は、書籍体１の収納部３７に収納せず、収納物７だけで飾ることもできる。さらに、囲い部７１２を取外し、対象物７２に触ることもできる。また、対象物７２を支持部材７１１４から取り外すことができるようにしてもよい。
【００４２】
なお、小口側壁７１２４と天井部７１２５は、不透明な部材で形成してもよく、鏡等の反射部材で形成してもよい。また、透明部材で形成した小口側壁７１２４と天井部７１２５に、アルミ箔等の反射部材を取り付けてもよい。
【００４３】
続いて、収納物７が収納部３７に収納されている状態を説明する。図４（ｂ）に示すように、冊子体９の規制開口９１の上下方向の寸法は、収納物７の外形になるケース７１の上下方向の寸法よりも小さい。このため、冊子体９の規制開口９１が本体３のおもて側開口３１１に被さった状態では、収納部３７に収納された収納物７を、取り出すことができないようになっている。以下、冊子体９の、規制開口９１がおもて側開口３１１に被さった姿勢を、規制姿勢と称する。一方、おもて側開口３１１の大きさは、ケース７１のおもて面３１側の大きさよりも大きい。このため、冊子体９をおもて側に曲げ、冊子体９の規制開口９１が、おもて側開口３１１から退避した状態では、収納部３７に収納された収納物７をおもて側開口３１１から取り出すことができる。以下、冊子体９の、規制開口９１がおもて側開口３１１から退避した姿勢を、許容姿勢と称する。
【００４４】
図５を用いて、冊子体９の許容姿勢について説明する。図５は、図１に示す書籍体の冊子体が許容姿勢の状態を示す斜視図である。なお、図５では、図面を簡略化するため、収納物７は省略している。
【００４５】
図５に示すように、おもて表紙５１を開いた状態で、規制姿勢の冊子体９の背側部分をおもて側に曲げ、冊子体９を許容姿勢にしている。冊子体９が許容姿勢となった状態では、冊子体９の規制開口９１がおもて側開口３１１から退避した状態となっている。このため、収納部３７に収納された収納物７をおもて側開口３１１から取り出すことができ、また、おもて側開口３１１から収納部３７に収納物７を入れることができる。
【００４６】
一方、図４（ｂ）に示すように、おもて表紙５１に設けられたおもて側窓部５１１の上下方向の寸法は、ケース７１の上下方向の寸法よりも小さい。また、図１および図２に示すように、裏側窓部５２１と背側窓部５３１も、おもて側窓部５１１と同じ上下方向の寸法で開口しているため、裏側窓部５２１と背側窓部５３１の上下方向の寸法も、ケース７１の上下方向の寸法よりも小さい。これらのため、図１に示す、おもて表紙５１が閉じられた状態で、収納部３７に収納された収納物７を、おもて側窓部５１１、裏側窓部５２１および背側窓部５３１から取り出すことはできない。また、おもて表紙５１を開いても、図３（ａ）に示すように冊子体９が規制姿勢の状態では、収納部から収納物７を取りだすことができない。収納部３７に収納された収納物７を取りだすためには、図５に示すように、おもて表紙５１を開き、さらに、冊子体９を許容姿勢にしなければならない。このため、例えば、書店の店頭等で収納物７のみを無断で持っていかれてしまうことを抑制することができる。
【００４７】
また、ケース７１は、おもて側、裏側、背側、および小口側の形状がほぼ同じ直方体に形成されているため、ケース７１のおもて側、裏側、背側、および小口側のどの面からでもおもて側開口３１１から収納物７を収納部３７に挿入することができる。囲い部７１２は透明部材で形成されているため、おもて表紙側壁７１２１、背表紙部側壁７１２３、裏表紙側壁７１２２、および小口側壁７１２４のうちどの壁が、おもて表紙５１側、背表紙部５３側、裏表紙５２側に位置しても、おもて側窓部５１１越しにも、裏側窓部５２１越しにも、背側窓部５３１にも、対象物７２を視認することができる。このように、収納物７の向きを変えて収納部３７に収納することで、各窓部越しに視認できる対象物７２の部分を変えることもできる。また、収納物７の天地を逆にして、収納部３７に収納してもよい。なお、対象物７２を支持する支持部材７１１４にモーター等の回転機構を設け、対象物７２が回転するようにしてもよい。また、ケース７１を円柱状に形成し、収納部３７に収納された状態で収納物７をモーター等の回転機構で回転させて、各窓部越しに視認できる対象物７２の部分を変えることができるようにしてもよい。
【００４８】
また、書籍体１は、書籍一般にみられるように、表紙体を覆うカバー部材を取り付けて使用してもよい。図６（ａ）は、図１に示す書籍体へのカバー部材の取り付け方を説明するための斜視図であり、図６（ｂ）は、カバー部材を取り付けた書籍体を天側から見た図である。
【００４９】
図６（ａ）に示すように、カバー部材２は、カバー本体２１と、おもて側折返部２２と、裏側折返部２３を有している。カバー本体２１は、表紙体５とほぼ同じ形状に形成され、おもて側窓部５１１、裏側窓部５２１、および背側窓部５３１に対応したカバー窓部２１１が形成されている。おもて側折返部２２は、カバー本体２１のおもて側における小口側端部に形成され、裏側折返部２３は、カバー本体２１の裏側における小口側端部に形成されている。なお、図６（ａ）では、書籍体１に取り付けたカバー部材２を二点鎖線で示している。
【００５０】
図６（ｂ）に示すＡの範囲で、本体３と、背表紙部５３および裏表紙５２が接着されている。図６（ｂ）に示すように、カバー本体２１が表紙体５に被せられ、おもて側折返部２２がおもて表紙５１の裏面側に折り返されている。また、裏側折返部２３は、裏表紙５２のおもて側に折り返され、本体３と裏表紙５２の間における接着されていない小口側の部分に挿入されている。なお、カバー部材２は、省略してもよい。
【００５１】
続いて、図７を用いて、書籍体１を、書店等で販売する場合の包装について説明する。図７は、図１に示す書籍体の裏側に裏板を取り付ける状態を示す斜視図である。
【００５２】
図７に示すように、裏板４は、裏表紙５２とほぼ同じ形状に形成され、裏側窓部５２１に対応した裏板窓部４１が形成されている。また、裏板４の裏側には、表示部４２が設けられている。表示部４２は、ＩＳＢＮコードや書籍ＪＡＮコード、あるいは書籍の定価等を表すコードである。この裏板４は、カバー部材２が被せられた裏表紙５２に重ねられ、書籍体１と裏板４を合せて、図示しないＯＰＰ（二軸延伸ポリプロピレン）等の透明度の高い素材で包装され、書店の店頭等に並べられる。裏板４には、裏側窓部５２１に対応した裏板窓部４１が形成されているため、裏表紙５２に裏板４が重ねられても、裏板窓部４１越しに対象物７２が視認し難くなることはない。書籍体１の購入者は、購入後にＯＰＰ等の包装素材をはがし、書籍体１から裏板４を取り外せば、ＩＳＢＮコードや定価等の記載のない状態で、書籍体１を飾ることができる。なお、裏板４を用いず、カバー部材２の裏側、あるいは裏表紙５２に表示部を設け、ＯＰＰ等で包装してもよいし、ＯＰＰ等で包装しなくてもよい。また、書籍体１が書籍として扱われず書籍型インテリアとして扱われる場合には、表示部４２は、商品コードや定価等を表すコードになる。
【００５３】
以上説明したように、本実施形態の書籍体１によれば、収納物７は、おもて側窓部５１１越しにも、背側窓部５３１越しにも、裏側窓部５２１越しにも視認できるようにされているため、書籍体１が、書店の店頭や購入者の部屋等で平置きされても書棚に収納されても、収納物７を買手や購入者に見せることができ、買手や購入者に収納物７の立体感を伝え易い。また、シリーズもののように収納物７の種類が異なる書籍体１が複数ある場合でも、書棚に収納するか、あるいは購入者の部屋等にそれぞれの収納物７が並ぶように配置することで、それぞれの収納物７が視認できる状態で書籍体１を飾ることができる。さらに、ケース７１の台座７１１に反射部材７１１３を設け、対象物７２を反射部材７１１３から離して支持しているため、対象物７２の下側が視認し易く、また、対象物７２があたかも宙に浮いているような印象を買手や購入者に与えることができる。また、収納部３７の上壁３７３や縦壁３７２に、反射部材としてのアルミ箔が設けられているため、対象物７２の上側や後側も、視認し易くすることができる。さらに、収納物７の天地を逆にして収納部３７に収納した場合でも、下壁３７１に反射部材としてのアルミ箔が設けられているため、対象物７２の下側を視認し易くすることができる。また、書籍体１から収納物７を取りだすためには、おもて表紙５１を開き、さらに、冊子体９を許容姿勢にしなければならないため、ＯＰＰ等で包装しない場合であっても、例えば、書店の店頭等で収納物７のみを無断で持っていかれてしまうことを抑制することができる。
【００５４】
続いて、他の実施形態の書籍体１について説明する。以下の説明では、これまで説明したきた第１の実施形態の書籍体１との相違点を中心に説明し、重複する説明は省略する。また、これまで説明した構成要素と同じ名称の構成要素には、これまで用いた符号と同じ符号を付して説明する。
【００５５】
図８は、本発明の第２の実施形態である書籍体の分解斜視図である。
【００５６】
第１の実施形態では、本体３のおもて面３１と裏面３２を表紙部材であるおもて表紙５１と裏表紙５２で覆い、おもて面３１と裏面３２の間となる背側面３３を背表紙部５３で覆う構成とした。一方、第２の実施形態では、本体３のおもて面３１を表紙部であるおもて表紙５１で覆い、おもて面３１と裏面３２の間を覆う背表紙部を本体３の背側面３３で構成している点が異なる。
【００５７】
図８に示すように、本体３の裏面３２における裏側開口３２１部分には、上部に裏側上部片３２１ａが形成され、下部に裏側下部片３２２ａが形成されている。また、本体３の背側面３３における背側開口３３１部分には、上部に背側上部片３３１ａが形成され、下部に背側下部片３３２ａが形成されている。これらにより、裏側開口３２１と背側開口３３１の上下方向の寸法が、おもて側開口３１１より小さく形成されている。また、背側面３３のおもて側端部には、上側取付片３３１ｂと下側取付片３３２ｂが形成されている。おもて表紙５１は、その背側の端部が、冊子体９を間に挟む隙間を開けて上側取付片３３１ｂと下側取付片３３２ｂに取り付けられ、おもて表紙５１が本体３のおもて面３１に対し開閉自在とされる。収納物７は、おもて側開口３１１から収納部３７に収納される。また、冊子体９は、図８でＡで示す小口側の半分が本体３のおもて面３１に接着されて、規制姿勢と許容姿勢に姿勢を変化させることができるように本体３に取り付けられる。本実施形態では、裏側開口３２１が裏側窓部に相当し、背側開口３３１が背側窓部に相当する。
【００５８】
本実施形態においても、おもて側窓部５１１越しにも、背側開口３３１越しにも、裏側開口３２１越しにも、収納物７を視認することができる。また、裏側開口３２１に裏側上部片３２１ａと裏側下部片３２２ａが形成され、背側開口３３１に背側上部片３３１ａと背側下部片３３２ａが形成されているため、裏側開口３２１からも背側開口３３１からも収納物７を取りだすことができない。このため、本実施形態においても、おもて表紙５１を開き、さらに、冊子体９を許容姿勢にしなければ、収納物７を収納部３７から取り出すことができないようにされている。
【００５９】
次に、第３の実施形態の書籍体について説明する。図９は、本発明の第３の実施形態である書籍体の分解斜視図である。
【００６０】
第２の実施形態の書籍体１では、おもて面３１と裏面３２の間を覆う背表紙部５３と収納部３７を本体３に一体に形成したが、第３の実施形態の書籍体１では、おもて面３１と裏面３２の間を覆う背表紙部５３と収納部３７を本体３とは別体とし、おもて表紙５１と一体に形成した点が異なる。
【００６１】
図９に示すように、本体３の背側端部には、おもて面３１と裏面３２の間になる部分が開口した背側開口部３３３が形成されている。この背側開口部３３３に、おもて表紙５１と一体に形成された背表紙部５３と収納部３７が取り付けられる。また、上記実施形態と同様に、収納部３７に収納物７が収納され、冊子体９は、図９でＡで示す小口側の半分が本体３のおもて面３１に接着されて取り付けられる。
【００６２】
本実施形態においても、おもて側窓部５１１越しにも、背側開口３３１越しにも、裏側開口３２１越しにも、収納物７を視認することができる。また、裏側開口３２１に形成された裏側上部片３２１ａと裏側下部片３２２ａ、および背側開口３３１に形成された背側上部片３３１ａと背側下部片３３２ａによって、裏側開口３２１からも背側開口３３１からも収納物７を取りだすことができない。
【００６３】
続いて、第４の実施形態の書籍体について説明する。図１０は、本発明の第４の実施形態である書籍体の分解斜視図である。
【００６４】
第１の実施形態では、矩形状の、おもて側開口３１１、背側開口３３１、および裏側開口３２１を本体３につなげて形成し、矩形状の、おもて側窓部５１１、背側窓部５３１、および裏側窓部５２１を表紙体５につなげて形成した。一方、第４の実施形態では、本体３に、円形のおもて側開口３１１と裏側開口３２１を形成し、表紙体５に、円形の、おもて側窓部５１１、背側窓部５３１、および裏側窓部５２１を形成した点が異なる。
【００６５】
図１０に示すように、本体３の背側端部には、おもて面３１と裏面３２の間になる部分が開口した背側開口部３３３が形成されている。また、本体３は、下壁３７１、縦壁３７２、および上壁３７３で画定される収納部３７が形成されている。本体３のおもて面３１には、収納部３７に対応する部分に円形に開口したおもて側開口３１１が形成され、本体３の裏面３２には、収納部３７に対応する部分に円形に開口した裏側開口３２１が形成されている。背側開口３３１は、おもて面３１、下壁３７１、裏面３２、および上壁３７３のそれぞれの背側端部で形成されている。また、表紙体５のおもて表紙に円形のおもて側窓部５１１が形成され、背表紙部５３に円形の背側窓部５３１が形成され、裏表紙５２に円形の裏側窓部５２１が形成されている。なお、冊子体９にも円形の規制開口９１が形成されている。
【００６６】
収納物７は、背側開口３３１から収納部３７に挿入され、表紙体５の裏表紙５２が本体３の裏面３２に接着されて取り付けられ、背表紙部５３が本体３の背側開口部３３３に接着されて取り付けられ、背側開口部３３３が背表紙部５３で覆われる。なお、背表紙部５３を本体３に着脱自在として、本体３から背表紙部５３を取り外すことで、収納部３７から収納物７を取り出せるようにしてもよい。また、上記実施形態のように、おもて側開口３１１を収納物７のおもて側の大きさよりも大きく形成し、おもて側開口３１１から収納物７を取りだすことができる構成としてもよい。なお、冊子体９は、おもて面３１に接着されて取り付けられる。
【００６７】
本実施形態においても、おもて側窓部５１１越しにも、背側窓部５３１越しにも、裏側窓部５２１越しにも、収納物７を視認することができる。
【００６８】
本発明は上述の実施形態に限られることなく特許請求の範囲に記載した範囲で種々の変形を行うことができる。たとえば、本実施形態では、おもて側窓部５１１越しにも、背側窓部５３１越しにも、裏側窓部５２１越しにも、三方から収納物７を視認できる構成としたが、背側窓部５３１越しと、おもて側窓部５１１越し、あるいは裏側窓部５２１越しのいずれかの少なくとも二方から収納物７が視認できればよい。また、天側や地側、あるいは小口側にも窓部を設け、四方以上から収納物７を視認できる構成としてもよい。さらに、上記実施形態では、本体３を直方体としたが、本体３を立法体や、円柱形状としてもよい。また、本体３の収納部３７やケース７１に対象物７２を照らす照明手段を設けてもよい。なお、以上説明した各実施形態や変形例の記載それぞれにのみ含まれている構成要件であっても、その構成要件を他の実施形態や変形例に適用してもよい。
【符号の説明】
【００６９】
１    書籍体
３    本体
３１    おもて面
３２    裏面
３７    収納部
５    表紙体
５１１    おもて側窓部
５２１    裏側窓部
５３１    背側窓部
７    収納物
９    冊子体
【図１】
2013216002.tif 000003
【図５】
2013216002.tif 000004
【図２】
2013216002.tif 000005
【図３】
2013216002.tif 000006
【図４】
2013216002.tif 000007
【図６】
2013216002.tif 000008
【図７】
2013216002.tif 000009
【図８】
2013216002.tif 000010
【図９】
2013216002.tif 000011
【図１０】
2013216002.tif 000012